(57)【要約】【課題】  低コストで確実に強度確保を図り収納機器のサービス性も確保できる冷凍装置を得る。【解決手段】  圧縮機１と、圧縮機を取り付ける台枠２と、台枠上に構成され、圧縮機を収納する機械室３と、機械室の上部に配設された凝縮器４と、台枠の左右両端部に配設された側面パネル５と、左右の側面パネル間の上方部に左右両端部を固着された横通し梁７と、台枠の左右方向の中間部に配設された縦柱６とを備え、縦柱６の上方部を横通し梁７の左右方向の中間部に固着させ、かつ縦柱６を上下分割できる構造とし、下半分６ｃを取り去り可能にした。【選択図】  図３
2005164116.tif 000002
【特許請求の範囲】
【請求項１】
圧縮機と、
前記圧縮機を取り付ける台枠と、
前記台枠上に構成され、圧縮機を収納する機械室と、
前記機械室の上部に配設された凝縮器と、
前記台枠の左右両端部に配設された側面パネルと、
前記左右の側面パネル間の上方部に左右両端部を固着された横通し梁と、
前記台枠の左右方向の中間部に配設された縦柱とを備え、
前記縦柱の上方部を前記横通し梁の左右方向の中間部に固着させ、かつ前記縦柱を上下分割できる構造とし、下半分を取り去り可能としたことを特徴とする冷凍装置。  
【請求項２】
圧縮機と、
前記圧縮機を取り付ける台枠と、
前記台枠上に構成され、圧縮機を収納する機械室と、
前記機械室の上部に配設された凝縮器と、
前記台枠の左右両端部に配設された側面パネルと、
前記左右の側面パネル間の上方部に左右両端部を固着された横通し梁と、
前記横通し梁の左右方向の中間部に配設された縦方向の中間柱とを備え、
前記中間柱が前記横通し梁の左右方向の中間部で吊下げられる構造としたことを特徴とする冷凍装置。  
【請求項３】
横通し梁が凝縮器の取付け構造を兼ねていることを特徴とする請求項１又は請求項２記載の冷凍装置。
【請求項４】
圧縮機と、
前記圧縮機を取り付ける台枠と、
前記台枠上に構成され、圧縮機を収納する機械室と、
前記機械室の上部に配設された凝縮器と、
前記台枠の左右両端部に配設された側面パネルと、
前記左右の側面パネル間の上方部に左右両端部を固着された凝縮器の取付け梁板と、
前記台枠の左右方向の中間部に配設された縦柱とを備え、
前記縦柱の上方部を前記凝縮器の取付け梁板の左右方向の中間部に固着させ、かつ前記縦柱を上下分割できる構造とし、下半分を取り去り可能としたことを特徴とする冷凍装置。  
【請求項５】
圧縮機と、
前記圧縮機を取り付ける台枠と、
前記台枠上に構成され、圧縮機を収納する機械室と、
前記機械室の上部に配設された凝縮器と、
前記台枠上の４隅に配設された隅柱と、
前記隅柱間の上方部に左右両端部を固着された横通し梁と、
前記台枠の左右方向の中間部に配設された縦柱とを備え、
前記縦柱の上方部を前記横通し梁の左右方向の中間部に固着させ、かつ前記縦柱を上下分割できる構造とし、下半分を取り去り可能としたことを特徴とする冷凍装置。
【発明の詳細な説明】
【技術分野】
【０００１】
この発明は、冷凍庫内等を冷却する冷凍装置に関するものである。
【背景技術】
【０００２】
従来、この種の冷凍装置においては、圧縮機と、圧縮機を取り付ける台枠と、台枠上に構成された圧縮機を収納する機械室と、圧縮機で圧縮された冷媒ガスを凝縮し機械室の上部に配設された凝縮器と、台枠の左右両端に配設された側面パネルと、台枠の左右方向の間に配設された縦柱より構成されている。
【０００３】
上記台枠の左右方向の間に配設された縦柱より構成されていたため、上記機械室の内部をサービスするときに上記縦柱が邪魔となり非常にサービス性の悪い構造となっていた。
また、サービスのために上記縦柱全体を取外した場合、冷凍装置全体の強度が低下し歪が発生するため上記縦柱以外のその他の部位に必要以上に強度を持たせる必要があり非常に高価な構造となっていた。
【０００４】
従来の冷凍装置では、上記問題を解決するために、サービス時に上記縦柱を取り付けたままで問題がないように上記機械室内の機器配置を行っていた。また、サービスのために上記縦柱全体を取外した場合でも、冷凍装置全体の強度が低下し歪が発生しないように上記縦柱以外のその他の部位に必要以上に強度を持たせる構造とした。また従来の屋外型冷凍装置において、仕切板は複数の支柱に着脱自在に固定された複数の分割仕切板から構成され、機械室内部の保守・点検の際には、必要に応じて一部の分割仕切板のみを取り外せばよいこととなり、保守・点検に要する労力が軽減され、作業性の向上が図れるものがある（例えば、特許文献１参照）。
【０００５】
【特許文献１】特開平９−４８７６号公報
【発明の開示】
【発明が解決しようとする課題】
【０００６】
従来の冷凍装置は以上のように構成されている為、次のような問題があった。まず、サービス時に上記縦柱を取り付けたままで問題がないように上記機械室内の機器配置を行っていたため機器配置効率が悪く必要以上にスペースを有していた。  また、サービスのために上記縦柱全体を取外した場合でも、冷凍装置全体の強度が低下し歪が発生しないように上記縦柱以外のその他の部位に必要以上に強度を持たせる構造とした為非常に高価な構造となっていた。
【０００７】
この発明は上記のような問題点を解消するためになされたもので、低コストで確実に強度確保を図り収納機器のサービス性も確保できる冷凍装置を提供するものである。
【課題を解決するための手段】
【０００８】
この発明に係る冷凍装置は、圧縮機と、圧縮機を取り付ける台枠と、台枠上に構成され、圧縮機を収納する機械室と、機械室の上部に配設された凝縮器と、台枠の左右両端部に配設された側面パネルと、左右の側面パネル間の上方部に左右両端部を固着された横通し梁と、台枠の左右方向の中間部に配設された縦柱とを備え、縦柱の上方部を横通し梁の左右方向の中間部に固着させ、かつ縦柱を上下分割できる構造とし、下半分を取り去り可能にしたものである。
【発明の効果】
【０００９】
この発明は、圧縮機と、圧縮機を取り付ける台枠と、台枠上に構成され、圧縮機を収納する機械室と、機械室の上部に配設された凝縮器と、台枠の左右両端部に配設された側面パネルと、左右の側面パネル間の上方部に左右両端部を固着された横通し梁と、台枠の左右方向の中間部に配設された縦柱とを備え、縦柱の上方部を横通し梁の左右方向の中間部に固着させ、かつ縦柱を上下分割できる構造とし、下半分を取り去り可能にしたので、サービス時に縦柱の下部のみを取外しても梁が荷重を受け持つため、機械室内の機器配置効率が向上し省スペースで低コスト、かつ確実に強度確保を図り機械室内の機器のサービス性も確保できる。
【発明を実施するための最良の形態】
【００１０】
実施の形態１.
以下この発明の実施の形態１について説明する。図１は、この発明を実施するための実施の形態１における冷凍装置を示す正面図、図２は、同じくこの発明の実施の形態１における冷凍装置を示す側面図、図３は、同じくこの発明の実施の形態１における冷凍装置を示す斜視図である。
図１〜図３において、冷凍装置の基台を構成する台枠２上のほぼ中央に機械室３内に収容される圧縮機１が載置される。また台枠２上の左右両端部には側面パネル５が取り付けられる。更に左右の側面パネル５間の上方部には横通し梁７が跨って取り付けられる。更に凝縮器４の上端部が横通し梁７により取り付けられている。また台枠２の左右方向の中間部前側には上下２つに分割できる縦柱６が取り付けられている。この縦柱６の上部６ａは横通し梁７のほぼ中央部に連接固定されており、縦柱６の下端部６ｂは台枠２のほぼ中央部前側に連接固定されている。そして、上記台枠２、圧縮機１、左右の側面パネル５、横通し梁７、凝縮器４、縦柱６により、冷凍装置の全体構造が成立している。
通常時は縦柱６の上部６ａが横通し梁７と当接固定され、縦柱６の下端部６ｂが台枠２と当接固定されることにより、横通し梁7や凝縮器４を支える構造となっているため、簡便な構造で十分な強度の確保が可能となる。また保守・点検等のサービス時、縦柱６は横通し梁７によって吊下げて支えられる構造となるため、縦柱６の下半分６ｃを取り去っても機械室３の筺体強度の確保が可能となる。
【００１１】
実施の形態２．
図４は、この発明を実施するための実施の形態２における冷凍装置を示す斜視図である。  
図４において、冷凍装置の基台を構成する台枠２上のほぼ中央に機械室３内に収容される圧縮機１が載置される。また台枠２上の左右両端部には側面パネル５が取り付けられる。更に左右の側面パネル５間の上方部には横通し梁７が跨って取り付けられる。更に凝縮器４の上端部が横通し梁７により取り付けられている。また横通し梁７の左右方向の中間部前側には縦方向の中間柱８が取り付けられている。この中間柱８の上方部は横通し梁７のほぼ中央部に強固に連接固定されているが、中間柱８の下端部は台枠２とは当接していない。そして、上記台枠２、圧縮機１、左右の側面パネル５、横通し梁７、凝縮器４、中間柱８により、冷凍装置の全体構造が成立している。
通常時は中間柱８の上方部が横通し梁７に強固に当接固定されているが、下端部は台枠２と当接していないため、中間柱８は横通し梁7に必要な強度を持たせることにより、中間柱８は横通し梁７によって吊下げて支えられる構造となるため、機械室３の筺体強度の確保が可能となる。
【００１２】
実施の形態３．
図５は、この発明を実施するための実施の形態３における冷凍装置を示す斜視図である。  
図５において、冷凍装置の基台を構成する台枠２上のほぼ中央に機械室３内に収容される圧縮機１が載置される。また台枠２上の左右両端部には側面パネル５が取り付けられる。更に左右の側面パネル５間の上方部には凝縮器４の取付け梁板４Ａが跨って取り付けられる。更に凝縮器４の上端部が取付け梁板４Ａにより取り付けられている。また台枠２の左右方向の中間部前側には上下２つに分割できる縦柱６が取り付けられている。この縦柱６の上部６ａは凝縮器４の取付け梁板４Ａのほぼ中央部に連接固定されており、縦柱６の下端部６ｂは台枠２のほぼ中央部前側に連接固定されている。そして、上記台枠２、圧縮機１、左右の側面パネル５、凝縮器４の取付け梁板４Ａ、凝縮器４、縦柱６により、冷凍装置の全体構造が成立している。
通常時は縦柱６の上部６ａが凝縮器４の取付け梁板４Ａと当接固定され、縦柱６の下端部６ｂが台枠２と当接固定されることにより、凝縮器４の取付け梁板４Ａを支える構造となっているため、簡便な構造で十分な強度の確保が可能となる。また保守・点検等のサービス時、縦柱６は凝縮器４の取付け梁板４Ａによって吊下げて支えられる構造となるため、縦柱６の下半分６ｃを取り去っても機械室３の筺体強度の確保が可能となる。
【００１３】
実施の形態４．
図６は、この発明を実施するための実施の形態４における冷凍装置を示す斜視図である。  
図６において、冷凍装置の基台を構成する台枠２上のほぼ中央に機械室３内に収容される圧縮機１が載置される。また台枠２上の４隅に配設された隅柱９を取り付ける。更にこの隅柱９間の上方部には横通し梁７が跨って取り付けられる。更に凝縮器４の上端部が横通し梁７により取り付けられている。また台枠２の左右方向の中間部前側には上下２つに分割できる縦柱６が取り付けられている。この縦柱６の上部６ａは横通し梁７のほぼ中央部に連接固定されており、縦柱６の下端部６ｂは台枠２のほぼ中央部前側に連接固定されている。そして、上記台枠２、圧縮機１、隅柱９、横通し梁７、凝縮器４、縦柱６により、冷凍装置の全体構造が成立している。
通常時は縦柱６の上部６ａが横通し梁７と当接固定され、縦柱６の下端部６ｂが台枠２と当接固定されることにより、横通し梁7や凝縮器４を支える構造となっているため、簡便な構造で十分な強度の確保が可能となる。また保守・点検等のサービス時、縦柱６は横通し梁７によって吊下げて支えられる構造となるため、縦柱６の下半分６ｃを取り去っても機械室３の筺体強度の確保が可能となる。
【００１４】
実施の形態５．
図７はこの発明を実施するための他の実施の形態における冷凍装置を示す斜視図である。図７において冷凍装置の基台を構成する台枠２上のほぼ中央に機械室３内に収容される圧縮機１が載置される。また、台枠２上の左右両端部には側面パネル５が取付けられる。更に左右それぞれに分かれた左凝縮器４ａと右凝縮器４ｂを有し、左凝縮器４ａの左取付け梁４ｃが左の側面パネル５ａの上方部に当接して取付けられ、右凝縮器４ｂの右取付け梁４ｄが右の側面パネル５ｂの上方部に当接して取付けられる。更に、連接中央梁１０により左取付け梁４ｃと右取付け梁４ｄを連接固定する。また、台枠２の左右方向の中間部前側には上下２つに分割できる縦柱６が取付けられている。この縦柱６の上部６ａは凝縮器４の取付け梁板４Ａのほぼ中央部に連接固定されており、縦柱６の下端部６ｂは台枠２のほぼ中央部前側に連接固定されている。そして、上記台枠２、圧縮機１、左右の側面パネル５、左凝縮器４ａの左取付け梁４ｃと右凝縮器４ｂの右取付け梁４ｄ、縦柱６、連接中央梁１０により、冷凍装置全体構造が成立している。
通常時は縦柱６の上部６ａが左凝縮器４ａの左取付け梁４ｃと右凝縮器４ｂの右取付け梁４ｄが連接中央梁１０により連接固定された十分強度を有した一体の梁に当接固定され、縦柱６の下端部６ｂが台枠２と当接固定されることにより、左凝縮器４ａの左取付け梁４ｃと右凝縮器４ｂの右取付け梁４ｄ及び連接中央梁１０により連接固定された十分強度を有した一体の梁を支える構造となっているため、簡便な構造で十分な強度の確保が可能となる。また、保守・点検等のサービス時、縦柱６は左凝縮器４ａの左取付け梁４ｃと右凝縮器４ｂの右取付け梁４ｄが連接中央梁１０により連接固定された十分強度を有した一体の梁によって吊下げて支えられる構造となるため、縦柱６の下半分６ｃを取り去っても機械室３の筐体強度の確保が可能となる。
【図面の簡単な説明】
【００１５】
【図１】この発明を実施するための実施の形態１における冷凍装置を示す正面図である。
【図２】この発明の実施の形態１における冷凍装置を示す側面図である。
【図３】この発明の実施の形態１における冷凍装置を示す斜視図である。
【図４】この発明の実施の形態２における冷凍装置を示す斜視図である。
【図５】この発明の実施の形態３における冷凍装置を示す斜視図である。
【図６】この発明の実施の形態４における冷凍装置を示す斜視図である。
【図７】この発明の実施の形態５における冷凍装置を示す斜視図である。
【符号の説明】
【００１６】
１  圧縮機
２  台枠
３  機械室
４  凝縮器
４Ａ  取付け梁板
４ａ  左凝縮器
４ｂ  右凝縮器
４ｃ  左取付け梁
４ｄ  右取付け梁
５  側面パネル    
６  縦柱
６ａ  縦柱上部
６ｂ  縦柱下部
６ｃ  縦柱下半部
７  横通し梁
８  中間柱
９  隅柱
１０  連接中央梁
【図１】
2005164116.tif 000003
【図２】
2005164116.tif 000004
【図３】
2005164116.tif 000005
【図４】
2005164116.tif 000006
【図５】
2005164116.tif 000007
【図６】
2005164116.tif 000008
【図７】
2005164116.tif 000009